(57)【要約】【課題】作業性の良い電源装置及び照明器具を提供する。【解決手段】  実施形態の電源装置は、電子部品を実装した回路基板３２と、板金部材を折り曲げて形成され、回路基板３２を収納するベースケース３１と、切り起こし部５１と、を有する。切り起こし部５１は、板金部材の一部を切り起こして形成された切り起こし片５１ａを有し、切り起こし片５１ａにより回路基板３２の端部の支持と回路基板３２の位置決めをすると共に、切り起こし片５１ａの切り起こし高さｄ１は、支持された回路基板３２の上面３２ａ以下である。【選択図】図５
2019061773.tif 000002
【特許請求の範囲】
【請求項１】
電子部品を実装した回路基板と、
板金部材を折り曲げて形成され、前記回路基板を収納するケースと、
前記板金部材の一部を切り起こして形成された切り起こし片を有し、前記切り起こし片により前記回路基板の端部の支持と前記回路基板の位置決めをすると共に、前記切り起こし片の切り起こし高さは、支持された前記回路基板の上面以下である、切り起こし部と、
を有する電源装置。
【請求項２】
前記切り起こし片は、前記切り起こし片の先端部分に段差部を有し、
前記回路基板の前記端部は、前記段差部に係止されることによって、前記回路基板の端部の支持と前記回路基板の位置決めがされる、請求項１に記載の電源装置。
【請求項３】
前記回路基板は、スリットを有し、
前記切り起こし片の先端部分は、前記スリット内に配置される、請求項１に記載の電源装置。  
【請求項４】
前記回路基板は、孔を有し、
前記切り起こし片の先端部分は、前記孔内に配置される、請求項１に記載の電源装置。
【請求項５】
前記孔は、前記回路基板を平面視したときに矩形形状を有する、請求項４に記載の電源装置。
【請求項６】
前記孔は、前記回路基板を平面視したときに円形形状を有する、請求項４に記載の電源装置。
【請求項７】
前記切り起こし片の先端部分は、前記孔のサイズよりも長い半円形状あるいは三角形状の部分を有し、
前記切り起こし片の先端部分は、前記孔内に圧入されている、請求項５又は６に記載の電源装置。
【請求項８】
前記回路基板は、前記回路基板の端部の近傍に搭載された端子台を有する、請求項１に記載の電源装置。
【請求項９】
前記ケースは、矩形の底面部と、前記底面部に直交する方向に形成されかつ互いに対向する２つの側壁部とを有し、
前記切り起こし部は、前記底面部に設けられている、請求項１に記載の電源装置。
【請求項１０】
前記切り起こし部は、前記底面部の長手軸方向の両端部に２つ設けられ、
前記回路基板は、前記２つの切り起こし部の間に配置されている、請求項１に記載の電源装置。
【請求項１１】
請求項１から１０のいずれか１つに記載の電源装置と、
前記電源装置に接続された光源部と、
前記電源装置と前記光源部が搭載される器具本体と、
を有する照明器具。
【発明の詳細な説明】
【技術分野】
【０００１】
本発明の実施形態は、電源装置及び照明器具に関する。
【背景技術】
【０００２】
従来より、光源部と、光源部に電源を供給する電源装置と、光源部と電源装置が取り付けられる器具本体とを有する照明器具がある。照明器具は、例えば天井に取り付けられて室内を照明する。光源部は、蛍光灯などの放電灯、あるいは複数の発光素子を有する光源モジュールなどである。
【０００３】
このような照明器具の電源装置は、筐体である器具本体内に収納され固定される。電源装置から延出する複数の配線の一部は、電源供給線に接続され、他の配線は、光源モジュールに接続される。
【０００４】
電源装置は、点灯回路等が搭載された回路基板を含み、回路基板は、電源装置のベースケースに搭載され固定される。ベースケースには、１又は２以上の切り起こし片が設けられる。例えば、ベースケースは、１枚の板金部材を折り曲げて形成され、切り起こし片は、その板金部材の一部を切り起こして形成される。切り起こし片は、先端部分に回路基板を支持しかつ位置決めするための段差部を有している。
【０００５】
回路基板は、照明器具の製造工程において、あるいは照明器具のメンテナンスのときに、ベースケースへ取り付けたり、ベースケースから取り外されたりする。従来の切り起こし片の先端部分は、段差部に搭載された回路基板の上面よりも上側に突出している。
【０００６】
しかし、切り起こし片に鋭利な部分やバリがある場合、作業者は、回路基板をベースケースに取り付けたり、回路基板をベースケースから取り外したり、配線の端子台への接続をしたり、電源装置を照明器具の筐体に取り付けたり、等の作業をするときに、指に切り起こし片の先端部分が当たって怪我をしないように注意しながら取り付け等の作業をしなければならず、電源装置に対する作業性が悪い。
【先行技術文献】
【特許文献】
【０００７】
【特許文献１】特開２０１０−８０４３３号公報
【特許文献２】特開２０１６−１１０９３３号公報
【発明の概要】
【発明が解決しようとする課題】
【０００８】
そこで、本実施形態は、作業性の良い電源装置及び照明器具を提供することを目的とする。
【課題を解決するための手段】
【０００９】
実施形態の電源装置は、電子部品を実装した回路基板と、板金部材を折り曲げて形成され、前記回路基板を収納するケースと、前記板金部材の一部を切り起こして形成された切り起こし片を有し、前記切り起こし片により前記回路基板の端部の支持と前記回路基板の位置決めをすると共に、前記切り起こし片の切り起こし高さは、支持された前記回路基板の上面以下である、切り起こし部と、を有する。
【発明の効果】
【００１０】
本実施形態によれば、作業性の良い電源装置及び照明器具を提供することができる。
【図面の簡単な説明】
【００１１】
【図１】第１実施形態に係わる照明器具１００の斜視図である。
【図２】第１実施形態に係わる照明器具１００の器具本体１０の斜視図である。
【図３】第１実施形態に係わる照明器具１００の光源モジュール２０の斜視図である。
【図４】第１実施形態に係わる、電源装置１５の構成を示す組み立て斜視図である。
【図５】第１実施形態の電源装置１５の出力用の２つの端子台４２側の部分斜視図である。
【図６】第１実施形態に係わる、回路基板３２の短手軸方向の幅の中心を通りかつ電源装置１５の長手軸方向に沿った２つの端子台４２側の電源装置１５の部分断面図である。
【図７】第１実施形態に係わる、各切り起こし片５１ａの先端部分に形成された段差部５１ｘの形状を説明するための図である。
【図８】第１実施形態の変形例１に係わる電源装置１５の出力用の２つの端子台４２側の部分斜視図である。
【図９】第１実施形態の変形例１に係わる、回路基板３２の短手軸方向の幅の中心を通りかつ電源装置１５の長手軸方向に沿った２つの端子台４２側の電源装置１５の部分断面図である。
【図１０】第２実施形態の電源装置１５Ａの出力用の２つの端子台４２側の部分斜視図である。
【図１１】第２実施形態に係わる、回路基板３２の短手軸方向の幅の中心を通りかつ電源装置１５Ａの長手軸方向に沿った２つの端子台４２側の電源装置１５Ａの部分断面図である。
【図１２】第２実施形態の変形例２に係わる電源装置１５Ａの出力用の２つの端子台４２側の部分斜視図である。
【図１３】第２実施形態の変形例２に係わる、回路基板３２の短手軸方向の幅の中心を通りかつ電源装置１５Ａの長手軸方向に沿った２つの端子台４２側の電源装置１５Ａの部分断面図である。
【図１４】第３実施形態の電源装置１５Ｂの出力用の２つの端子台４２側の部分斜視図である。
【図１５】第３実施形態に係わる、回路基板３２の短手軸方向の幅の中心を通りかつ電源装置１５Ｂの長手軸方向に沿った２つの端子台４２側の電源装置１５Ｂの部分断面図である。
【図１６】第３実施形態の変形例３に係わる電源装置１５Ｂの出力用の２つの端子台４２側の部分斜視図である。
【図１７】第３実施形態の変形例３に係わる、回路基板３２の短手軸方向の幅の中心を通りかつ電源装置１５Ａの長手軸方向に沿った２つの端子台４２側の電源装置１５Ａの部分断面図である。
【図１８】第３実施形態の変形例４に係わる半円形の先端部分５１ｙの形状を示す図である。
【図１９】第３実施形態の変形例４に係わる三角形の先端部分５１ｙの形状を示す図である。
【発明を実施するための形態】
【００１２】
本実施形態の電源装置は、電子部品を実装した回路基板と、板金部材を折り曲げて形成され、前記回路基板を収納するケースと、前記板金部材の一部を切り起こして形成された切り起こし片を有し、前記切り起こし片により前記回路基板の端部の支持と前記回路基板の位置決めをすると共に、前記切り起こし片の切り起こし高さは、支持された前記回路基板の上面以下である、切り起こし部と、を有する  。
【００１３】
本実施形態の照明器具は、本実施形態の電源装置と、前記電源装置に接続された光源部と、前記電源装置と前記光源部が搭載される器具本体と、を有する。
【００１４】
以下、図面を参照して実施形態を説明する。
（第１実施形態）
（構成）
図１は、第１実施形態に係わる照明器具１００の斜視図である。図２は、第１実施形態に係わる照明器具１００の器具本体１０の斜視図である。 図３は、第１実施形態に係わる照明器具１００の光源モジュール２０の斜視図である。
【００１５】
図１に示すように、照明器具１００は、器具本体１０と、光源モジュール２０とを備えた細長の装置である。照明器具１００は、光源モジュール２０を下方に向けた状態で室内の天井面に取り付けられる。
【００１６】
器具本体１０がネジ等によって天井面に取り付けられる。器具本体１０は、光源モジュール２０の支持に用いられるとともに、天井などの取付対象への照明器具１００の取り付けにも用いられる。照明器具１００は、室内に光を照射する。なお、照明器具１００は、天井面に限ることなく、例えば、壁面などに取り付けても良い。また、複数の照明器具１００を連結させても良い。
【００１７】
図２に示すように、器具本体１０は、筐体１１と、取付金具１４と、電源装置１５と、を備える。器具本体１０には、光源部である光源モジュール２０と、電源装置１５とが搭載される。
【００１８】
筐体１１は、反射板１２と、端板１３と、を備える。さらに、筐体１１は、光源モジュール２０の一部を収納するための凹部１１ａを有する。また、筐体１１には、照明器具１００を天井面などに取り付けるための金具（例えば、ネジ）や電源装置１５に電力を供給する電源ケーブルなどを通すための複数の開口が設けられる。
【００１９】
筐体１１には、鉄、アルミニウム、または、ステンレスなどの金属材料が用いられるが、樹脂材料を用いても良い。  
反射板１２は、例えば一枚の板金部材から形成され、照明器具１００の長手軸方向に沿って複数箇所で折り曲げられた形状を有している。反射板１２の折り曲げられて形成された２つの反射面１２ａが  光源モジュール２０内の光源から照射された光を反射する。反射板１２によって反射された光は、照明器具１００の下方に向かう。
【００２０】
端板１３は、反射板１２の長手方向の両端に設けられている。筐体１１の凹部１１ａは、反射板１２及び端板１３に囲まれた部分である。  
取付金具１４は、ネジ止めなどにより、筐体１１の凹部１１ａ内の反射板１２に取り付けられる。取付金具１４は、光源モジュール２０の保持部材（図示せず）に設けられた弾性体と掛止し、筐体１１の凹部１１ａから抜ける方向への移動を規制する。
【００２１】
電源装置１５は、凹部１１ａに収納される。電源装置１５は、外部から供給される電力を、光源モジュール２０に対応した電圧または電流に変換して光源モジュール２０に供給する。光源モジュール２０は、光源としての発光ダイオード（以下、ＬＥＤという）などの発光素子を複数有する。光源モジュール２０は、電源装置１５に接続され、電源装置１５からの電力供給に応じてＬＥＤなどの複数の発光素子が点灯する。
【００２２】
図３に示すように、光源モジュール２０は、支持体２１と、光透過性を有するカバー２２と、側板２３と備え、光源モジュール２０の内部には、ＬＥＤ等の複数の発光素子が搭載された回路基板が設けられている。光源モジュール２０は、電源装置１５からの電力供給に応じて光を出射する。
【００２３】
光源モジュール２０には、例えば、発光体として、ＬＥＤが用いられているが、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、または、その他の電界発光型の発光素子などでも良い。
【００２４】
図４は、電源装置１５の構成を示す組み立て斜視図である。  
電源装置１５は、ベースケース３１、回路基板３２及びカバーケース３３を主な構成要素としている。回路基板３２には、各種電子部品が実装されている。ベースケース３１は、回路基板３２を収納する収納体である。カバーケース３３は、ベースケース３１に覆い被さる蓋の機能を有し、カバーケース３３とベースケース３１により構成される筐体内に、回路基板３２が収納される。
【００２５】
ベースケース３１は、例えば１枚の金属製の平板を折り曲げて、底面部３１ａの両側部に一対の側壁部３１ｂ、３１ｂを備えるように形成されている。金属としては、例えば鋼板材が用いられる。底面部３１ａは、細長い長方形の形状に形成されている。また、一対の側壁部３１ｂ、３１ｂは、底面部３１ａの長手方向に沿うように両側から上方に折り曲げられ、底面部３１ａとほぼ直交し互いに対向してベースケース３１の全体は、断面がコの字状の略樋形状に形成されている。よって、ベースケース３１は、板金部材を折り曲げて形成され、回路基板３２を収納するケースを構成する。
【００２６】
各側壁部３１ｂ、３１ｂには、複数の基板支持段部３１ｃが設けられている。各基板支持段部３１ｃは、四角形状の領域において上下に位置する長方形状の開口部を打ち抜き、中央部に帯状であってベースケース３１の内部方向にアーチ状に突出したブリッジを有するように形成される。ブリッジの上縁部に回路基板３２の下面の縁部が載置される。ここでは、基板支持段部３１ｃは、ベースケース３１の各側壁部３１ｂの長手方向の両端部付近と中央部に、等間隔で３個形成されている。
【００２７】
また、一対の側壁部３１ｂ、３１ｂには、複数の開口部３１ｄが形成されている。各開口部３１ｄは、カバーケース３３をベースケース３１に取り付けたときに、カバーケース３３の爪部３３ａが入り込んで係合する位置に形成されている。
【００２８】
カバーケース３３は、例えば鋼板材により構成され、図４に示すように、一対の側板部３３ｂ、３３ｂ、天板部３３ｃ、及び一対の側板部３３ｂ、３３ｂと天板部３３ｃを繋ぐ一対の傾斜板部３３ｄ、３３ｄを備える。側板部３３ｂ、３３ｂは、傾斜板部３３ｄ、３３ｄを介して天板部３３ｃの長手方向に沿う両側に連設されている。
【００２９】
更に、天板部３３ｃにおける長手方向の両端には、天板部３３ｃに対しほぼ直交するように形成された一対に端板部３３ｅ、３３ｅが天板部３３ｃに連設して設けられている。この端板部３３ｅ、３３ｅは、平面形状が略五角形状をなし、カバーケース３３における長手方向の両側端の開口部の上側を略閉塞するように形成されている。
【００３０】
更に、カバーケース３３は、その長手方向が回路基板３２に配設されている入力用の端子台４１と出力用の端子台４２との間に位置する大きさに形成されている。よって、カバーケース３３がベースケース３１に取り付けられた状態で、作業者は、各端子台４１，４２への配線の接続及び取り外しを行うことができる。
【００３１】
カバーケース３３の４つの爪部３３ａをベースケース３１の４つの開口部３１ｄに合わせるように、カバーケース３３をベースケース３１に覆い被せることにより、カバーケース３３とベースケース３１とを結合することができる。
【００３２】
ベースケース３１の一対の側壁部３１ｂ、３１ｂのそれぞれには、さらに、回路基板固定部３１ｆが複数（ここでは２つ）設けられている。回路基板固定部３１ｆは、複数の基板支持段部３１ｃのブリッジの高さに一致させて、四角形状の領域において下方から上方へ延びる長方形状の舌片部３１ｇを残して凹字状に打ち抜きを行って形成されたものである。
【００３３】
舌片部３１ｇをベースケース３１の内側へ所定治具で押圧して折り曲げることにより、回路基板３２をベースケース３１の底面部３１ａ側へ押えて固定することができる。
【００３４】
更に、底面部３１ａの長手方向の両端の近傍領域には、２つの取付孔３１ｅが穿設されている。ベースケース３１は、各取り付け孔３１ｅを介して、螺子により、反射板１２に固定される。
【００３５】
点灯回路等のための各種電子部品が回路基板３２に実装されている。回路基板３２は、例えばガラスエポキシ材や紙フェノール材などにより構成されるものであり、長方形状に形成され、その長手方向の寸法がベースケース３１の側壁部３１ｂにおける上辺の長手方向の寸法によりも幾分小さい。
【００３６】
回路基板３２の長手軸方向における両端部の近傍領域の上面には、複数の端子台が搭載されている。回路基板３２の一端側には、入力用の１つの端子台４１が配設されており、他端側には、出力用の２つの端子台４２が配設されている。入力用の端子台４１には、商用交流電源からの２本の電源線（図示せず）が接続され、出力用の２つの端子台４２からは、光源モジュール２０に接続される複数のリード線（図示せず）が接続される。
【００３７】
図５は、第１実施形態の電源装置１５の出力用の２つの端子台４２側の部分斜視図である。図６は、回路基板３２の短手軸方向の幅の中心を通りかつ電源装置１５の長手軸方向に沿った２つの端子台４２側の電源装置１５の部分断面図である。図５及び図６は、出力用の端子台４２側の電源装置１５の一部を示している。
【００３８】
図５に示すように、ベースケース３１の長手軸方向における両端部の底面部３１ａには、２つの切り起こし部５１が設けられている。具体的には、ベースケース３１は、矩形の底面部３１ａと、底面部３１ａに直交する方向に形成されかつ互いに対向する２つの側壁部３１ｂ、３１ｂとを有し、各切り起こし部５１は、底面部３１ａに設けられている。そして、回路基板３２は、２つの切り起こし部５１の間に配置されている。  
ベースケース３１の長手軸方向の両側に設けられた２つの切り起こし部５１は、回路基板３２を支持すると共に、回路基板３２の長手軸方向における移動を制限する。
【００３９】
切り起こし部５１は、底面部３１ａの長手軸方向の両端の近傍領域に設けられている。各切り起こし部５１は、底面部３１ａの一部を切り起して形成され２つの切り起し片５１ａを有している。
【００４０】
各切り起し片５１ａは、底面部３１ａに、切り起こし片５１ａの形状を残すように孔３１ａ１を形成し、切り起こし片５１ａの形状部分を底面部３１ａに直角に回路基板３２が搭載される側に折り曲げることにより形成される。ここでは、２つの切り起こし片５１ａは、底面部３１ａの長手軸に直交する方向に並んで形成されている。
【００４１】
なお、回路基板３２の端部には、切り欠き部３２ｋが形成されている。切り欠き部３２ｋは、ベースケース３１の取り付け孔３１ｅに螺子を挿入して反射板１２に電源装置１５を固定するときに作業者が使用するドライバの作業をし易くするためのドライバ避けである。
【００４２】
図５及び図６に示すように、各切り起こし片５１ａは、各切り起こし片５１ａの長手軸が底面部３１ａに直角になるように、回路基板３２が収納される側である上側に折り曲げられている。すなわち、各切り起こし片５１ａは、回路基板３２が搭載される側に、突出している。  
各切り起こし片５１ａの先端部分には、段差部５１ｘが形成されている。
【００４３】
図７は、各切り起こし片５１ａの先端部分に形成された段差部５１ｘの形状を説明するための図である。図７は、底面部３１ａに平行でかつベースケース３１の長手軸に直交する方向から見たときの、回路基板３２の両側に端部に当接する２つの切り起こし片５１ａの先端部分５１ｙを示す。
【００４４】
各切り起こし片５１ａの先端部分５１ｙには、段差部５１ｘが形成されている。各段差部５１ｘは、各切り起こし片５１ａの回路基板３２側に形成されている。各切り起こし片５１ａの先端部分５１ｙは、底面部３１ａから離れた各切り起こし片５１ａの上側部分である。
【００４５】
段差部５１ｘは、底面部３１ａに平行な直線部である縁辺部５１ｃ１と、底面部３１ａに直交する直線部である縁辺部５１ｃ２とを有し、縁辺部５１ｃ１と５１ｃ２とは、直角に交わっている。
【００４６】
各切り起こし片５１ａの先端部分５１ｙは、回路基板３２の上面３２ａと平行な直線部である先端縁辺部５１ｃ３を有する。先端縁辺部５１ｃ３は、縁辺部５１ｃ２と直交している。
【００４７】
また、底面部３１ａの長手軸方向において対向する２つの切り起こし部５１の各切り起こし片５１ａは、２つの切り起こし部５１間の中央を通りかつ長手軸に直交する平面に対して面対称な形状を有している。
【００４８】
よって、出力用の端子台４２側の各切り起こし片５１ａと入力用の端子台４１側の各切り起こし片５１ａは、各段差部５１ｘが対向するように形成されている。  
さらに、対向する２つの段差部５１ｘの縁辺部５１ｃ２間の距離が回路基板３２の長手軸方向の長さと略同じになるように、２つの切り起こし部５１は形成される。
【００４９】
よって、回路基板３２がベースケース３１に収納され固定されたとき、対向する２つの段差部５１ｘの２つの縁辺部５１ｃ２により回路基板３２の長手軸方向の動きは規制され、回路基板３２は、ベースケース３１に対して位置決めされる。  
本実施形態では、各切り起こし部５１は、２つの切り起こし片５１ａを有しているので、２つの一対の切り起こし片５１ａにより、回路基板３２の長手軸方向の動きは規制される。
【００５０】
なお、回路基板３２の長手軸方向の両端部の下面３２ｂは、切り起こし片５１ａの縁辺部５１ｃ１に当接して支持され、回路基板３２の短手軸方向の両端部の下面３２ｂは、各側壁部３１ｂ、３１ｂに設けられた複数の基板支持段部３１ｃに当接して支持される。
【００５１】
図７に示すように、段差部５１ｘの縁辺部５１ｃ１から各切り起こし片５１ａの先端部分５１ｙの頂部（ここでは先端縁辺部５１ｃ３）までの高さｄ１は、ここでは、縁辺部５１ｃ２の長さと一致する。高さｄ１は、切り起こし片５１ａの切り起こし高さである。
【００５２】
高さｄ１は、図７において二点鎖線で示すように回路基板３２を段差部５１ｘの縁辺部５１ｃ１上に置いたときにおける、縁辺部５１ｃ１から回路基板３２の上面３２ａまでの高さ（距離）ｄ２よりも、低くなるように設定される。高さｄ１は、０よりも大きくかつ高さｄ２以下である。高さｄ１は、回路基板３２の長手軸方向における動きを規制できる高さであればよい。
【００５３】
すなわち、切り起こし部５１は、板金部材の一部を切り起こして形成された切り起こし片５１ａを有し、切り起こし片５１ａにより回路基板３２の端部の支持と回路基板３２の位置決めをすると共に、切り起こし片５１ａの切り起こし高さｄ１は、支持された回路基板３２の上面３２ａ以下である。
【００５４】
そして、各切り起こし片５１ａは、切り起こし片５１ａの先端部分５１ｙに段差部５１ｘを有し、回路基板３２の端部は、段差部５１ｘに係止されることによって、回路基板３２の端部の支持と回路基板３２のベースケース３１に対する位置決めがされる。
【００５５】
なお、高さｄ１は、回路基板３２の各切り起こし片５１ａへの係止の確実さ、及び作業者による回路基板３２のベースケース３１への取り付け作業などを考慮すると、高さｄ２の略半分、若しくは半分以上の高さであることが好ましい。
【００５６】
作業者が、回路基板３２を、電源装置１５のベースケース３１に取り付ける場合、回路基板３２の両端部あるいは一端部を手で把持しながら、切り起こし部５１の各切り起こし片５１ａの段差部５１ｘに嵌め合わせる。このとき、各切り起こし片５１ａの先端部分５１ｙが回路基板３２の上面３２ａよりも上側に突出しないため、作業者は、指に各切り起こし片５１ａの先端部分５１ｙが当たって怪我をしないように注意する必要なく、回路基板３２の取り付け作業をすることができる。
【００５７】
また、作業者が、回路基板３２を、電源装置１５のベースケース３１から取り外す場合、回路基板３２の両端部あるいは一端部を手で把持しながら、回路基板３２を各切り起こし片５１ａの段差部５１ｘから離す。このとき、各切り起こし片５１ａの先端部分５１ｙが回路基板３２の上面３２ａよりも上側に突出していないため、作業者は、指に各切り起こし片５１ａの先端部分が当たって怪我をしないように注意する必要なく、回路基板３２の取り外し作業をすることができる。
【００５８】
さらに、作業者が、回路基板３２の端子台４１，４２への配線の接続あるいは端子台４１，４２からの配線の取り外しを行う場合、各切り起こし片５１ａの先端部分５１ｙが回路基板３２の上面３２ａよりも上側に突出していないため、作業者は、指に各切り起こし片５１ａの先端部分５１ｙが当たって怪我をしないように注意する必要なく、端子台４１，４２への配線作業をすることができる。
【００５９】
さらに、作業者が、電源装置１５を筐体１１に取り付けたりする作業をする場合にも、指に各切り起こし片５１ａの先端部分５１ｙが当たって怪我をしないように注意する必要なく、電源装置１５の筐体１１への取り付け作業をすることができる。
【００６０】
以上のように、各切り起こし片５１ａの先端縁辺部５１ｃ３が回路基板３２の上面３２ａよりも上には突出していないので、作業者は、電源装置１５に対する作業をスムーズに行うことができる。
【００６１】
特に、電源装置１５あるいは回路基板３２が小型化すると、切り起こし片５１ａの先端部分は、より鋭利になる。しかし、上述した電源装置１５によれば、作業者は、電源装置１５に対する作業を行うときに、指に怪我をしない。  
よって、上述した実施形態によれば、作業性の良い電源装置及び照明器具を提供することができる。
【００６２】
なお、変形例として、先端部分５１ｙの底面部３１ａの長手軸方向における各切り起こし片５１ａの長さを長くして、回路基板３２とは反対側の角部を丸く形成するようにしてもよい。
【００６３】
図８は、第１実施形態の変形例１に係わる電源装置１５の出力用の２つの端子台４２側の部分斜視図である。図９は、第１実施形態の変形例１に係わる、回路基板３２の短手軸方向の幅の中心を通りかつ電源装置１５の長手軸方向に沿った２つの端子台４２側の電源装置１５の部分断面図である。図８及び図９は、出力用の端子台４２側の電源装置１５の一部を示している。
【００６４】
図８及び図９に示すように、先端部分５１ｙの底面部３１ａの長手軸方向における各切り起こし片５１ａの長さは、図５及び図６に示す切り起こし片５１ａよりも長く、先端部分５１ｙの回路基板３２に当接する縁辺部５１ｃ２の反対側の角部には、丸い部分５１ａ１が形成されている。
【００６５】
よって、本変形例１によれば、各切り起こし片５１ａの先端部分５１ｙの底面部３１ａの長手軸方向の長さが長いため、各切り起こし片５１ａの先端部分の鋭利の程度は、緩和される。
（第２実施形態）
第１実施形態では、矩形の回路基板３２の両端部の縁部分が、切り起こし片５１ａの段差部５１ｘに当接しているが、第２実施形態では、回路基板３２の両端部に切り起こし部５１の各切り起こし片５１ａが入り込むスリットを形成し、そのスリットの底面部に各切り起こし片５１ａの縁辺部５１ｃ２が当接可能に、回路基板３２は形成されている。
【００６６】
第２実施形態の照明器具の構成は、第１実施形態の照明器具１００と略同じであるので、説明は省略し、第２実施形態の電源装置１５Ａの構成も、第１実施形態の電源装置１５と略同じであるので、説明は省略し、異なる構成についてのみ説明する。
【００６７】
図１０は、第２実施形態の電源装置１５Ａの出力用の２つの端子台４２側の部分斜視図である。図１１は、回路基板３２の短手軸方向の幅の中心を通りかつ電源装置１５Ａの長手軸方向に沿った２つの端子台４２側の電源装置１５Ａの部分断面図である。図１０及び図１１は、出力用の端子台４２側の電源装置１５Ａの一部を示している。
【００６８】
図１０に示すように、回路基板３２の長手軸方向の両端部には、回路基板３２の長手軸方向に沿って細長のスリット６１が形成されている。回路基板３２の長手軸方向における各スリット６１の長さは、回路基板３２の長手軸方向における各切り起こし片５１ａの先端部分５１ｙの長さよりは長い。  
すなわち、回路基板３２は、複数のスリット６１を有し、図１０及び図１１に示すように、各切り起こし片５１ａの先端部分５１ｙは、スリット６１内に配置される。そして、各切り起こし片５１ａの縁辺部５１ｃ２がスリット６１の底面部６１ａに当接する。
【００６９】
第２実施形態の切り起こし部５１の構成は、第１実施形態の切り起こし部５１と同じである。よって、第１実施形態と同様に、段差部５１ｘの縁辺部５１ｃ１から各切り起こし片５１ａの先端部分５１ｙの頂部までの高さｄ１は、図７において二点鎖線で示すように回路基板３２を段差部５１ｘの縁辺部５１ｃ１上に置いたときにおける、縁辺部５１ｃ１から回路基板３２の上面３２ａまでの高さ（距離）ｄ２よりも、低くなるように設定される。高さｄ１は、０よりも大きくかつ高さｄ２以下である。
【００７０】
なお、本実施形態の変形例として、底面部３１ａの長手軸方向における各切り起こし片５１ａの先端部分５１ｙの長さを長くして、回路基板３２とは反対側の角部を丸く形成するようにしてもよい。
【００７１】
図１２は、第２実施形態の変形例２に係わる電源装置１５Ａの出力用の２つの端子台４２側の部分斜視図である。図１３は、第２実施形態の変形例２に係わる、回路基板３２の短手軸方向の幅の中心を通りかつ電源装置１５Ａの長手軸方向に沿った２つの端子台４２側の電源装置１５Ａの部分断面図である。図１２及び図１３は、出力用の端子台４２側の電源装置１５Ａの一部を示している。
【００７２】
上述した変形例１と同様に、先端部分５１ｙの底面部３１ａの長手軸方向の長さを図１１に示す先端部分５１ｙの底面部３１ａの長手軸方向の長さをより長くし、かつ先端部分５１ｙの回路基板３２に当接する縁辺部５１ｃ２の反対側の角部には、丸い部分５１ａが形成され、作業者は、より怪我をしなくなる。
【００７３】
よって、上述した実施形態及び変形例２によれば、作業者は、切り起こし部５１の各切り起こし片５１ａの先端部分５１ｙに触れて怪我をする心配をすることなく、電源装置１５Ａに対する作業を行うことができる。
【００７４】
特に、本実施形態及び変形例２によれば、各切り起こし片５１ａの先端部分５１ｙは、スリット６１の内側に配置され、各先端部分５１ｙはスリット６１で保護されるので、作業者は先端部分５１ｙで怪我をすることはない。
（第３実施形態）
第２実施形態では、回路基板３２の両端部に切り起こし部５１の各切り起こし片５１ａが入り込むスリットを形成し、そのスリットの底面部に各切り起こし片５１ａの縁辺部５１ｃ２が当接するように、回路基板３２は形成されているが、第３実施形態では、回路基板３２の両端部に切り起こし部５１の各切り起こし片５１ａが入り込む複数の孔を形成し、その孔に各先端部分５１ｙが入り込むことができるように、回路基板３２は形成されている。
【００７５】
第３実施形態の照明器具の構成は、第１実施形態の照明器具１００と略同じであるので、説明は省略し、第３実施形態の電源装置１５Ｂの構成も、第１実施形態の電源装置１５と略同じであるので、説明は省略し、異なる構成についてのみ説明する。
【００７６】
図１４は、第３実施形態の電源装置１５Ｂの出力用の２つの端子台４２側の部分斜視図である。図１５は、回路基板３２の短手軸方向の幅の中心を通りかつ電源装置１５Ｂの長手軸方向に沿った２つの端子台４２側の電源装置１５Ｂの部分断面図である。図１４及び図１５は、出力用の端子台４２側の電源装置１５Ｂの一部を示している。
【００７７】
図１４に示すように、回路基板３２の長手軸方向の両端部の近傍領域には、回路基板３２の長手軸方向に沿って細長の４つの孔７１が形成されている。回路基板３２の長手軸方向における各孔７１の長さＤ１は、回路基板３２の長手軸方向における各切り起こし片５１ａの長さＬ１よりは、小さく、回路基板３２の長手軸方向における各切り起こし片５１ａの先端部分５１ｙの長さＬ２以上の長さを有する。  
なお、各孔７１は、回路基板３２を平面視したときに矩形形状を有し、回路基板３２の短手軸方向の各孔７１の幅は、各切り起こし片５１ａが入ることができる長さを有する。
【００７８】
すなわち、回路基板３２は、複数の孔７１を有し、図１４及び図１５に示すように、各切り起こし片５１ａの先端部分５１ｙは、孔７１内に配置される。各切り起こし片５１ａの縁辺部５１ｃ２が回路基板３２に当接する。
【００７９】
第３実施形態の切り起こし部５１の構成は、第１実施形態の切り起こし部５１と同じである。よって、第１実施形態と同様に、段差部５１ｘの縁辺部５１ｃ１から各切り起こし片５１ａの先端部分５１ｙの頂部までの高さｄ１は、図７において二点鎖線で示すように回路基板３２を段差部５１ｘの縁辺部５１ｃ１上に置いたときにおける、縁辺部５１ｃ１から回路基板３２の上面３２ａまでの高さ（距離）ｄ２よりも、低くなるように設定される。高さｄ１は、０よりも大きくかつ高さｄ２以下である。
【００８０】
よって、上述した実施形態によれば、作業者は、切り起こし部５１の各切り起こし片５１ａの先端部分５１ｙに触れて怪我をする心配をすることなく、電源装置１５Ｂに対する作業を行うことができる。  
なお、本実施形態の変形例３として、回路基板３２に形成される各孔の形状は、略円形でもよい。
【００８１】
図１６は、第３実施形態の変形例３に係わる電源装置１５Ｂの出力用の２つの端子台４２側の部分斜視図である。図１７は、第３実施形態の変形例３に係わる、回路基板３２の短手軸方向の幅の中心を通りかつ電源装置１５Ａの長手軸方向に沿った２つの端子台４２側の電源装置１５Ａの部分断面図である。図１６及び図１７は、出力用の端子台４２側の電源装置１５Ａの一部を示している。
【００８２】
図１６に示すように、回路基板３２の長手軸方向の両端部の近傍領域には、回路基板３２の長手軸方向に沿って略円形の４つの孔７１Ａが形成されている。各孔７１Ａは、回路基板３２を平面視したときに円形形状を有する。各切り起こし片５１ａの縁辺部５１ｃ２が回路基板３２に当接する。
各孔７１Ａの内径Ｄ２は、回路基板３２の長手軸方向における各切り起こし片５１ａの長さＬ１よりは、小さく、回路基板３２の長手軸方向における各切り起こし片５１ａの先端部分５１ｙの長さＬ２以上の長さを有する。
【００８３】
よって、本変形例３によっても、作業者は、怪我をしなくなる。  
さらなる変形例４として、先端部分５１ｙの形状は、半円形あるいは三角形でもよい。
【００８４】
図１８は、第３実施形態の変形例４に係わる半円形の先端部分５１ｙの形状を示す図である。図１９は、第３実施形態の変形例４に係わる三角形の先端部分５１ｙの形状を示す図である。
【００８５】
先端部分５１ｙの一部を半円形あるいは三角形とすることにより、各切り起こし片を孔７１に挿入し易くなる。  
また、先端部分５１ｙの長手軸方向における半円形あるいは三角形の部分の長さを、孔７１の長さあるいは孔７１Ａの内径よりも大きくすれば、半円形あるいは三角形の部分が孔７１、７１Ａ内に圧入されて、回路基板３２を各切り起こし片５１ａに固定することが可能である。
【００８６】
すなわち、切り起こし片５１ａの先端部分５１ｙは、孔７１、７１Ａのサイズ、すなわち長手軸方向の長さ、あるいは内径よりも長い半円形状あるいは三角形状の部分を有し、切り起こし片５１ａの先端部分５１ｙが、孔内７１、７１Ａに圧入されるようにしてもよい。
【００８７】
先端部分５１ｙの一部が半円形あるいは三角形の場合、半円形あるいは三角形の頂部の高さが、上述したｄ１となる。  
よって、上述した実施形態及び変形例３，４によれば、作業者は、切り起こし部５１の各切り起こし片５１ａの先端部分５１ｙに触れて怪我をする心配をすることなく、電源装置１５Ａに対する作業を行うことができる。
【００８８】
以上のように、上述した各実施形態及び各変形例によれば、作業性の良い電源装置及び照明器具を提供することができる。
【００８９】
なお、上述した各実施形態及び各変形例では、回路基板３２の長手軸方向の両側に切り起こし部５１が設けられているが、回路基板３２の長手軸方向の両側の一方だけに切り起こし部５１を設けるようにしてもよい。例えば、回路基板３２の長手軸方向の両側の一方においてだけ作業がされる場合、あるいは他方には、別の係止構造が採用されている場合には、回路基板３２の長手軸方向の両側の一方だけに切り起こし部５１を設けられる。
【００９０】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００９１】
１０  器具本体、１１  筐体、１１ａ  凹部、１２  反射板、１２ａ  反射面、１３  端板、１４  取付金具、１５、１５Ａ、１５Ｂ  電源装置、２０  光源モジュール、２１  支持体、２２  カバー、２３  側板、３１  ベースケース、３１ａ  底面部、３１ｂ  側壁部、３１ｃ  基板支持段部、３１ｄ  開口部、３１ｅ  取付孔、３１ｅ  孔、３１ｆ  回路基板固定部、３１ｇ  舌片部、３２  回路基板、３２ａ  上面、３２ｂ  下面、３２ｋ  切り欠き部、３３  カバーケース、３３ａ  爪部、３３ｂ  側板部、３３ｃ  天板部、３３ｄ  傾斜板部、３３ｅ  端板部、４１，４２  端子台、５１  切り起こし部、５１ａ  切り起こし片、５１ｃ１、５１ｃ２  縁辺部、５１ｃ３  先端縁辺部、５１ｘ  段差部、５１ｙ  先端部分、６１  スリット、７１、７１Ａ  孔、１００  照明器具。
【図１】
2019061773.tif 000003
【図２】
2019061773.tif 000004
【図３】
2019061773.tif 000005
【図４】
2019061773.tif 000006
【図５】
2019061773.tif 000007
【図６】
2019061773.tif 000008
【図７】
2019061773.tif 000009
【図８】
2019061773.tif 000010
【図９】
2019061773.tif 000011
【図１０】
2019061773.tif 000012
【図１１】
2019061773.tif 000013
【図１２】
2019061773.tif 000014
【図１３】
2019061773.tif 000015
【図１４】
2019061773.tif 000016
【図１５】
2019061773.tif 000017
【図１６】
2019061773.tif 000018
【図１７】
2019061773.tif 000019
【図１８】
2019061773.tif 000020
【図１９】
2019061773.tif 000021